(57)【要約】目標ＳＩＲが得られるように移動局の上り送信電力を制御すると共に、該目標ＳＩＲを伝送路上の品質に基づいて制御するＣＤＭＡ移動通信システムにおける送信電力制御において、一つの移動局と複数の基地局との間で同時に同一データを送受信する際、各伝送路上の品質を監視する。そして、品質が最良の伝送路を介して受信したデータを選択すると共に、伝送路毎に該伝送路を介して送られてきたデータの選択率を算出し、データ選択後のデータ品質に基づいて目標ＳＩＲを更新し、該更新後の目標ＳＩＲに各伝送路の選択率を乗算して各伝送路の実際の目標ＳＩＲとする。
2004032373.tif 000002
【特許請求の範囲】
【請求項１】
目標ＳＩＲが得られるように移動局の上り送信電力を制御すると共に、該目標ＳＩＲを伝送路上の品質に基づいて制御するＣＤＭＡ移動通信システムにおける送信電力制御方法において、
一つの移動局と複数の基地局との間で同時に同一データを送受信する際、各伝送路上の品質を監視し、
品質が最良の伝送路を介して受信したデータを選択すると共に、伝送路毎に該伝送路を介して送られてきたデータの選択状況を得て、
データ選択後のデータ品質に基づいて目標ＳＩＲを更新し、
該更新後の目標ＳＩＲに各伝送路の選択状況を反映して各伝送路の実際の目標ＳＩＲとする、
ことを特徴とする送信電力制御方法。
【請求項２】
目標ＳＩＲが得られるように移動局の上り送信電力を制御すると共に、該目標ＳＩＲを伝送路上の品質に基づいて制御するＣＤＭＡ移動通信システムにおける送信電力制御方法において、
一つの移動局と複数の基地局との間で同時に同一データを送受信する際、各伝送路上の品質を監視し、
品質が最良の伝送路を介して受信したデータを選択すると共に、伝送路毎に該伝送路を介して送られてきたデータの選択率を算出し、
伝送路毎に、
データ選択前のデータ品質に基づいて目標ＳＩＲを更新し、
該更新後の目標ＳＩＲに伝送路の前記選択率を乗算して該伝送路の実際の目標ＳＩＲとする、
ことを特徴とする送信電力制御方法。
【請求項３】
目標ＳＩＲが得られるように移動局の上り送信電力を制御すると共に、該目標ＳＩＲを伝送路上の品質に基づいて制御するＣＤＭＡ移動通信システムにおける送信電力制御方法において、
一つの移動局と複数の基地局との間で同時に同一データを送受信する際、各伝送路上の品質を監視し、
品質が最良の伝送路を介して受信したデータを選択すると共に、伝送路毎に該伝送路を介して送られてきたデータの選択率を算出し、
データ選択後のデータ品質に基づいて目標ＳＩＲを更新し、
該更新後の目標ＳＩＲ値と、前回の更新ＳＩＲ値である基準ＳＩＲ値との差分を算出し、
この差分値に各伝送路の選択率を乗算して各伝送路の目標ＳＩＲの増減値を算出し、該各伝送路の増減値を各伝送路のそれまでの目標ＳＩＲに加えて各伝送路の実際の目標ＳＩＲとする、
ことを特徴とする送信電力制御方法。
【請求項４】
目標ＳＩＲが得られるように移動局の上り送信電力を制御すると共に、該目標ＳＩＲを伝送路上の品質に基づいて制御するＣＤＭＡ移動通信システムにおける送信電力制御方法において、
一つの移動局と複数の基地局との間で同時に同一データを送受信する際、各伝送路上の品質を監視し、
品質が最良の伝送路を介して受信したデータを選択すると共に、伝送路毎に該伝送路を介して送られてきたデータの選択率を算出し、
伝送路毎に、
データ選択前のデータ品質に基づいて目標ＳＩＲを更新し、
該更新後の目標ＳＩＲ値と伝送路のそれまでの目標ＳＩＲとの差分を算出し、
該差分値に伝送路の選択率を乗算して該伝送路の目標ＳＩＲの増減値を算出し、該増減値を伝送路のそれまでの目標ＳＩＲに加えて実際の目標ＳＩＲとする、
ことを特徴とする送信電力制御方法。
【請求項５】
基地局は目標ＳＩＲに基づいて移動局の上り送信電力を制御すると共に、受信データの品質を示す品質識別子を付して移動局からの受信データを基地局制御装置に送信し、基地局制御装置は各伝送路の品質に基づいて目標ＳＩＲの更新制御を行う、
ことを特徴とする請求項１乃至４記載の送信電力制御方法。
【請求項６】
目標ＳＩＲが得られるように移動局の上り送信電力を制御すると共に、該目標ＳＩＲを伝送路上の品質に基づいて制御するＣＤＭＡ移動通信システムにおける送信電力制御装置において、
一つの移動局と複数の基地局との間で同時に同一データを送受信する際、各伝送路上の品質を監視する品質監視部、
品質が最良の伝送路を介して受信したデータを選択すると共に、伝送路毎に該伝送路を介して送られてきたデータの選択率を算出するデータ選択部、
データ選択後のデータ品質に基づいて目標ＳＩＲを更新する目標ＳＩＲ更新部、
該更新後の目標ＳＩＲに各伝送路の選択率を乗算して各伝送路の実際の目標ＳＩＲを算出する手段、
を有することを特徴とする送信電力制御装置。
【請求項７】
目標ＳＩＲが得られるように移動局の上り送信電力を制御すると共に、該目標ＳＩＲを伝送路上の品質に基づいて制御するＣＤＭＡ移動通信システムにおける送信電力制御装置において、
一つの移動局と複数の基地局との間で同時に同一データを送受信する際、各伝送路上の品質を監視する品質監視部、
品質が最良の伝送路を介して受信したデータを選択すると共に、伝送路毎に該伝送路を介して送られてきたデータの選択率を算出するデータ選択部、
伝送路毎に、
データ選択前のデータ品質に基づいて目標ＳＩＲを更新する目標ＳＩＲ更新部、
該更新後の目標ＳＩＲに伝送路の前記選択率を乗算して該伝送路の実際の目標ＳＩＲを算出する手段、
を有することを特徴とする送信電力制御装置。
【請求項８】
目標ＳＩＲが得られるように移動局の上り送信電力を制御すると共に、該目標ＳＩＲを伝送路上の品質に基づいて制御するＣＤＭＡ移動通信システムにおける送信電力制御装置において、
一つの移動局と複数の基地局との間で同時に同一データを送受信する際、各伝送路上の品質を監視する品質監視部、
品質が最良の伝送路を介して受信したデータを選択すると共に、伝送路毎に該伝送路を介して送られてきたデータの選択率を算出するデータ選択部、
データ選択後のデータ品質に基づいて目標ＳＩＲを更新する目標ＳＩＲ更新部、
該更新後の目標ＳＩＲ値と、前回の更新ＳＩＲ値である基準ＳＩＲ値との差分を算出する差分算出部、
この差分値に各伝送路の選択率を乗算して各伝送路の目標ＳＩＲの増減値を算出する増減値算出部、
各伝送路の増減値を各伝送路のそれまでの目標ＳＩＲに加えて実際の目標ＳＩＲとする目標ＳＩＲ算出部、
を有することを特徴とする送信電力制御装置。
【請求項９】
目標ＳＩＲが得られるように移動局の上り送信電力を制御すると共に、該目標ＳＩＲを伝送路上の品質に基づいて制御するＣＤＭＡ移動通信システムにおける送信電力制御装置において、
一つの移動局と複数の基地局との間で同時に同一データを送受信する際、各伝送路上の品質を監視する品質監視部、
品質が最良の伝送路を介して受信したデータを選択すると共に、伝送路毎に該伝送路を介して送られてきたデータの選択率を算出するデータ選択部、
伝送路毎に、
データ選択前のデータ品質に基づいて目標ＳＩＲを更新する目標ＳＩＲ更新部、
該更新後の目標ＳＩＲ値と伝送路のそれまでの目標ＳＩＲとの差分を算出する差分算出部、
該差分値に伝送路の選択率を乗算して該伝送路の目標ＳＩＲの増減値を算出する増減値算出部、
該増減値を伝送路のそれまでの目標ＳＩＲに加えて実際の目標ＳＩＲとする目標ＳＩＲ算出部、
を有することを特徴とする送信電力制御装置。
【請求項１０】
基地局は目標ＳＩＲに基づいて移動局の上り送信電力を制御すると共に、受信データの品質を示す品質識別子を受信データに付して基地局制御装置に送信し、基地局制御装置は各伝送路の品質に基づいて目標ＳＩＲの更新制御を行う、
ことを特徴とする請求項６乃至９記載の送信電力制御装置。
【請求項１１】
目標品質に基づいて移動局の上り送信電力を制御すると共に、該目標品質を伝送路上の品質に基づいて制御するＣＤＭＡ移動通信システムにおける送信電力制御装置において、
一つの移動局と複数の基地局との間で同時に同一データを送受信する際、いずれかの伝送路を介して受信したデータを選択すると共に、伝送路毎に該伝送路を介して送られてきたデータの選択状況を得るデータ選択部、
データ選択後のデータ品質に基づいて前記目標品質を更新する目標品質更新部、
該更新後の目標品質に各伝送路の選択状況を反映して各伝送路の実際の目標品質を算出する手段、
を有することを特徴とする送信電力制御装置。
【請求項１２】
目標品質に基づいて移動局の上り送信電力を制御すると共に、該目標品質を伝送路上の品質に基づいて制御するＣＤＭＡ移動通信システムにおける送信電力制御装置において、
一つの移動局と複数の基地局との間で同時に同一データを送受信する際、いずれかの伝送路を介して受信したデータを選択すると共に、伝送路毎に該伝送路を介して送られてきたデータの選択状況を反映するデータ選択部、
伝送路毎に、
データ選択前のデータ品質に基づいて前記目標品質を更新する目標品質更新部、
該更新後の目標品質に伝送路の前記選択状況を反映して該伝送路の実際の目標品質を算出する手段、
を有することを特徴とする送信電力制御装置。
【請求項１３】
目標品質に基づいて移動局の上り送信電力を制御すると共に、該目標品質を伝送路上の品質に基づいて制御するＣＤＭＡ移動通信システムにおける送信電力制御装置において、
一つの移動局と複数の基地局との間で同時に同一データを送受信する際、いずれかの伝送路を介して受信したデータを選択すると共に、伝送路毎に該伝送路を介して送られてきたデータの選択状況を得るデータ選択部、
データ選択後のデータ品質に基づいて前記目標品質を更新する目標品質更新部、
該更新後の目標品質値と、前回の更新品質値である基準品質値との差分を算出する差分算出部、
この差分値に各伝送路の選択状況を反映して各伝送路の目標品質の増減値を算出する増減値算出部、
各伝送路の増減値を各伝送路のそれまでの目標品質に加えて実際の目標品質とする目標品質算出部、
を有することを特徴とする送信電力制御装置。
【請求項１４】
目標品質に基づいて移動局の上り送信電力を制御すると共に、該目標品質を伝送路上の品質に基づいて制御するＣＤＭＡ移動通信システムにおける送信電力制御装置において、
一つの移動局と複数の基地局との間で同時に同一データを送受信する際、いずれかの伝送路を介して受信したデータを選択すると共に、伝送路毎に該伝送路を介して送られてきたデータの選択状況を反映するデータ選択部、
伝送路毎に、
データ選択前のデータ品質に基づいて目標品質を更新する目標品質更新部、
該更新後の目標品質値と伝送路のそれまでの目標品質との差分を算出する差分算出部、
該差分値に伝送路の選択状況を反映して該伝送路の目標品質の増減値を算出する増減値算出部、
該増減値を伝送路のそれまでの目標品質に加えて実際の目標品質とする目標品質算出部、
を有することを特徴とする送信電力制御装置。
【発明の詳細な説明】
【技術分野】  本発明はＣＤＭＡ移動通信システムにおける送信電力制御方法および送信電力制御装置に係わる。特に、移動網側において、移動局からの受信信号について目標ＳＩＲが得られるように移動局の上り送信電力を制御すると共に、該目標ＳＩＲを伝送路上の品質に基づいて制御する送信電力制御方法および送信電力制御装置に関する。
【背景技術】  （１）従来の送信電力制御
３ＧＰＰ仕様における移動通信システムにおいて、網側および移動局側では所定のエラーレートが得られるように、又、送信電力が過大にならないように送信電力制御を行っている。図１２はかかる送信電力制御の説明図であり、網側で移動局の上り送信電力を制御する場合を示している。
移動局１から送信された信号は、基地局２の復調器２ａで復調されたあと、誤り訂正復号器２ｂで復号される。そのあとＣＲＣ検出器２ｃにおいて、トランスポートブロックＴｒＢｋ毎のＣＲＣ誤り検出が行われる。トランスポートブロックＴｒＢｋの誤り検出結果は、基地局制御装置３の目標ＳＩＲ制御部３ａへ伝えられる。目標ＳＩＲ制御部３ａは所定観測区間において誤りがなければ目標ＳＩＲを減少し、誤りがあればブロックエラーレートに基づいて目標ＳＩＲを増大し、該目標ＳＩＲを基地局２の記憶部２ｄに設定する。比較器２ｅはＳＩＲ測定部２ｆで測定された受信信号の測定ＳＩＲと目標ＳＩＲを比較し、比較結果を基に移動局１の送信電力を制御するＴＰＣビットを作成して該移動局１に送信する。すなわち、測定ＳＩＲ＞目標ＳＩＲであれば送信電力を一定量下げるようにＴＰＣビットを作成し、測定ＳＩＲ≦目標ＳＩＲであれば送信電力を一定量上げるようにＴＰＣビットを作成して個別物理制御チャネルＤＰＣＣＨで移動局に送信する。移動局１は受信したＴＰＣビットに従って自局の送信電力を制御する。移動局の上り送信電力を制御するフィードバックループＩＬＰはインナーループ（Ｉｎｎｅｒ  ｌｏｏｐ）といい、基地局２がＩｎｎｅｒ  ｌｏｏｐ送信電力制御を行う。また、目標ＳＩＲを制御するフィードバックループＯＬＰはアウターループ（Ｏｕｔｅｒ  ｌｏｏｐ）といい、基地局制御装置がＯｕｔｅｒ  ｌｏｏｐ送信電力制御を行う。
上りＯｕｔｅｒ  ｌｏｏｐ送信電力制御において、基地局２は移動局１より受信したデータを基地局制御装置３に送信する際、該データに無線区間（移動局−基地局間）における品質情報を添付する。ここで品質情報とは、３ＧＰＰシステムにおけるＩｕｂフレームプロトコルに付与されるパラメータで、▲１▼無線区間における誤り訂正情報（例えば誤り訂正率）であるＱＥ（Ｑｕａｌｉｔｙ  Ｅｓｔｉｍａｔｅｓ）と、▲２▼トランスポートブロックＴｒＢｌ毎に添付されているＣＲＣの判定結果であるＣＲＣＩ（ＣＲＣ  Ｉｎｄｉｃａｔｏｒ）である。基地局制御装置３はこの品質情報を基に受信データの品質を一定時間測定する。
品質情報は前述したようにＣＲＣＩとＱＥがあり、ＣＲＣＩを使用する場合は、基地局制御装置３はＣＲＣＩよりＢＬＥＲ（Ｂｌｏｃｋ  ｅｒｒｏｒ  ｒａｔｅ）を算出し、測定品質を表わすこのＢＬＥＲと目標品質として与えられているＢＬＥＲとの比較から上りＩｎｎｅｒ  ｌｏｏｐ送信電力制御で使用する上り目標ＳＩＲを算出する。また、基地局制御装置３はＱＥを使用する場合は、ＱＥをＢＥＲ（Ｂｉｔ  ｅｒｒｏｒ  ｒａｔｅ）に変換し、測定区間にてＢＥＲの平均値を算出し、測定品質を表わすＢＥＲと目標品質として与えられているＢＥＲとの比較から上りＩｎｎｅｒ  ｌｏｏｐ送信電力制御で使用する上り目標ＳＩＲを算出する。目標ＳＩＲの算出は受信したフレーム単位に行う場合や、あるいは測定区間を設け、測定区間満了後に算出する方法などがある。こうして得られた目標ＳＩＲを測定時間満了時に、前回の値と異なっていれば基地局２に入力する。
（ｂ）ハンドオーバ時の送信電力制御
以上では、１つの移動局が１つの基地局と通信を行っている場合であるが、ハンドオーバ時には図１３に示すように移動局１が同時に２つの基地局２，２′と通信する。かかる場合、基地局制御装置３は、図１４に示すように複数の基地局２，２′から受信する上りデータのうち品質の良好な方をデータ選択部３ｂで選択（例えば、ＱＥ，ＣＲＣＩ等の比較により、品質の良い方を選択）し、目標ＳＩＲ制御部３ａ（図１２）は選択された、データに対して品質測定を行って、目標ＳＩＲを決定する。品質の良好な方を選択することを選択合成といい、ハンドオーバ時のこのような制御をＤＨＯ（Ｄｉｖｅｒｓｉｔｙ  Ｈａｎｄ  Ｏｖｅｒ）という。選択合成の結果として品質が良くなることから、選択合成による利得を合成利得という。単一の基地局とのコネクションの場合は、他に選択可能なデータが存在しないので、選択合成はできず、及びこれによる合成利得も得られない。
基地局制御装置３は前記選択した後のデータに基づいて算出した目標ＳＩＲ（Ｅｂ／Ｎｏ）を、基地局と基地局制御装置間のインターフェースＩｕｂにしたがって、図１４に示すように移動局１とのコネクションが存在する全ての基地局２，２′に通知し、各基地局は受信した目標ＳＩＲに基づいてＩｎｎｅｒ  ｌｏｏｐ送信電力制御を行う。
（３）課題
ハンドオーバ時には、図１４で説明したＤＨＯ（Ｄｉｖｅｒｓｉｔｙ  Ｈａｎｄ  Ｏｖｅｒ）が行われる。このため、選択合成の合成利得によって得られた品質に対して算出された目標ＳＩＲを全ての基地局に同時に設定し、全基地局はこの同じ値の目標ＳＩＲに基づいてＩｎｎｅｒ  ｌｏｏｐ送信電力制御を行う（図１５参照）。このため、従来のＯｕｔｅｒ  ｌｏｏｐ送信電力制御では、複数の対基地局伝送路をもつハンドオーバ状態において各伝送路の品質状態を考慮していない問題がある。なお、図１５において折れ線ＺＺＬは測定したＳＩＲ、点線ＤＬは目標ＳＩＲである。測定ＳＩＲと目標ＳＩＲの大小関係に基づいて上り送信電力制御が行われ，それに応じて測定ＳＩＲが折れ線に示すように変化する。また、目標ＳＩＲは測定区間毎に更新される。
以下に具体的な問題点を説明するが、以下の▲１▼〜▲４▼を考慮する必要がある。
▲１▼選択合成の合成利得によって得られた品質は、ＤＨＯ状態においては各基地局から送信されるデータの品質よりも良好なものとなっている。▲２▼また、従来方式では、ＤＨＯ状態となった時点（開始時点）において、基地局２，２′に設定されている上り目標ＳＩＲ値は、全ての基地局に対して同じであるとは限らない。▲３▼加えてＩｎｎｅｒ  ｌｏｏｐ送信電力制御における上り目標ＳＩＲと、実際に受信しているデータの品質（もしくは受信ＳＩＲ）は必ずしも等しい結果が得られるとは限らない。▲４▼また、Ｏｕｔｅｒ  ｌｏｏｐ制御の性質上、Ｉｎｎｅｒ  ｌｏｏｐ制御で使用している目標ＳＩＲの更新間隔が、Ｉｎｎｅｒ  ｌｏｏｐ制御に対して非常に長いことから、なるべく適切な目標ＳＩＲ値を設定する必要がある。ここで不適切な目標ＳＩＲ値を設定してしまうと、以降次回の更新まで、この不適切な更新値に従った送信電力制御を行ってしまう。
・非ＤＨＯ状態／初期ＤＨＯ状態
移動局１と基地局２が１対１で通信している場合、基地局２（図１３）に通知されている上り目標ＳＩＲ値と、上りＯｕｔｅｒ  ｌｏｏｐ送信電力制御における基準ＳＩＲは一致している（図１６参照）。また、このときは未だＤＨＯ状態にはないため、選択合成による合成利得を考慮する必要がない。このため、上りＯｕｔｅｒ  ｌｏｏｐ送信電力制御により、更新ＳＩＲ値（更新後の目標ＳＩＲ）は受信品質に依存して、基準ＳＩＲ（＝基地局２の上り目標ＳＩＲ）より大きくなったり、あるいは等しくなったり、あるいは小さくなったりする（図１６参照）。
その後、ＤＨＯ状態になったとき、図１７に示すように、追加された基地局２′に設定されているＩｎｎｅｒ  ｌｏｏｐ送信電力制御用の上り目標ＳＩＲは、基地局２と異なっている可能性がある。基地局２，２′にて無線区間の状況が異なることから、同じ値である必要が無いためである。このＤＨＯ状態になってからＯｕｔｅｒ  ｌｏｏｐ送信電力制御を実施するとき、前述したように、選択合成の合成利得により得られた品質に対して、更新ＳＩＲが算出される。このとき基準となるのは基地局２に設定してある上り目標ＳＩＲ値であるから、基地局２′に設定してある上りＳＩＲ値に関して考慮されていないこととなる（図１７）。
本来Ｏｕｔｅｒ  ｌｏｏｐ送信電力制御にて使用する基準ＳＩＲ値は、図１８に示すように基地局２′に設定されてある値も考慮したＤＨＯ効果による仮想ＳＩＲに基づいてて更新ＳＩＲを決定する必要がある。以上が初期ＤＨＯ状態における問題点である。
・ＤＨＯ状態における問題点
Ｏｕｔｅｒ  ｌｏｏｐ送信電力制御で行う品質判定は、受信データの誤り率等の品質情報で決まる。ところが、送信電力制御に用いる短時間の平均受信レベルと受信データの誤り率とは必ずしも対応しない。これは、受信データの誤り率は受信レベルのみで決まるのでなく、フェージングの周期や遅延プロファイルの状況にも影響されるからである。よって、ＤＨＯ時において追加された基地局に設定されている上り目標ＳＩＲ値を、受信品質から安易に類推することは出来ず、すなわち品質が悪くても平均受信レベルが大きくＳＩＲ値が高い場合があり得る。以下にこれらを踏まえた問題点の例を説明する。
（ａ）各伝送路の品質は悪いが、選択合成後に目標品質以上の品質を得ている場合の例：
図１９に示すように、各伝送路の品質は品質目標値より悪いが、選択合成後に目標品質以上の品質を得ている場合がある。すなわち、基地局２，２′の品質（黒丸）が目標品質以下（ＢＥＲ＝１／１００以上）でも、ＤＨＯ状態になったとき、選択合成による品質（黒丸）が目標品質以上（ＢＥＲ＝１／１００以下）になる場合がある。かかる場合、最初に算出される更新ＳＩＲ値は、現在の基地局２における上り目標ＳＩＲ値よりも小さい値となる。基地局２′に関して、仮にその目標ＳＩＲ値が現在の基地局２に設定されている目標値よりも小さく、且つ更新ＳＩＲ値よりも小さかった場合、個々の基地局２，２′のＳＩＲ値を下げようとする意図とは逆に、基地局２′に関しては不必要に上り目標ＳＩＲ値を上げてしまう動作をすることになる。
これにより基地局２′の伝送路品質が向上し、選択合成後の品質が過剰品質となる可能性がある。また、他の移動局（特に基地局２′配下の移動局等）にとってはノイズ、すなわち干渉が増えることになり、品質悪化を導く可能性がある。
（ｂ）各伝送路の品質がばらばらで、合成利得後も品質が悪い場合の例：
図２０に示すように、各伝送路の品質が悪く、選択合成後の品質も目標品質以下の場合がある。すなわち、基地局２，２′の品質（黒丸）が目標品質以下（ＢＥＲ＝１／１００以上）で、ＤＨＯ状態になったとき、選択合成による品質（黒丸）も目標品質以下（ＢＥＲ＝１／１００以上）になっている場合である。かかる場合、ＤＨＯ状態になったとき、最初に算出された更新ＳＩＲ値は、現在の基地局２の上り目標ＳＩＲ値よりも大きい値となる。基地局２′に関して、仮に上り目標ＳＩＲ値が現在の基地局２に設定されている値よりも大きく、且つ更新ＳＩＲ値よりも大きいとすると、個々のＳＩＲ値を上げようとする意図とは逆に、基地局２′に関してはこの値を下げてしまう動作をすることになる。これにより基地局２′の伝送路品質が悪化し、選択合成後の品質が適切な合成利得を得られず悪化する可能性がある。
（ｃ）ＳＩＲ値の過大増加
図２１に示すように、各伝送路の品質が悪く、選択合成後の品質も目標品質以下の場合がある。すなわち、基地局２，２′の品質（黒丸）が目標品質以下（ＢＥＲ＝１／１００以上）で、ＤＨＯ状態になったとき、選択合成による品質（黒丸）も目標品質以下（ＢＥＲ＝１／１００以上）になっている場合である。かかる場合、基地局２のＳＩＲ値が、受信品質が悪いためにＤＨＯ状態直前までの電力制御により必要な目標品質を得るのに最も大きい値になっていていたとする。このとき追加された基地局２′に設定されている上り目標ＳＩＲ値が小さく、且つデータ品質も悪いと、更新ＳＩＲ値は基地局２の設定値より大きい値となる。このため、基地局２′における目標ＳＩＲ値の変化幅が非常に大きいものとなり、電力増加を促し、他の移動局に対して干渉を強める電力制御を行ってしまう。
以上より本発明の目的は、選択合成における合成利得を考慮した電力制御を行えるようにすることである。かかる電力制御によれば、無線区間における不要なノイズ（干渉）を低減することができ、また、無腺リソースの確保、すなわち、セル収容ユーザ数（セル容量）を増加することができ、更には、移動局の消費電力を抑える効果もある。これは、各基地局からの伝送路データの品質に対し、合成利得を考慮した品質を要求すればよいからである。又、本発明によれば、今まで必要とされたこれらいくつかの装置が不要となり、コストダウン、回路規模低減に繋がる。
【発明の開示】
本発明は、ハンドオーバ時などにおいて移動局が同時に複数の基地局と同一データを送受信する場合におけるＣＤＭＡ移動通信システムの送信電力制御に関するものである。かかる送信電力制御では、目標ＳＩＲが得られるように移動局の上り送信電力を制御すると共に、該目標ＳＩＲを伝送路上の品質に基づいて制御することを基本とする。
第１の発明では、（１）移動局が複数の基地局との間で同時に同一データを送受信する際、いずれかの（例えば、各伝送路上の品質を監視し、品質が最良の）伝送路を介して受信したデータを選択すると共に、伝送路毎に該伝送路を介して送られてきたデータの選択状況を得て（例えば、選択率を算出し）、（２）データ選択後のデータ品質に基づいて目標品質（例えば目標ＳＩＲ）を更新し、（３）該更新後の目標品質に各伝送路の選択状況を反映（例えば選択率を乗算）して各伝送路の実際の目標品質とする。
第２の発明では、（１）移動局と複数の基地局との間で同時に同一データを送受信する際、いずれかの（例えば、各伝送路上の品質を監視し、品質が最良の）伝送路を介して受信したデータを選択すると共に、伝送路毎に該伝送路を介して送られてきたデータの選択状況を得て（例えば、選択率を算出し）、伝送路毎に、▲２▼データ選択前のデータ品質に基づいて目標品質（例えば目標ＳＩＲ）を更新し、▲３▼該更新後の目標品質に伝送路の選択状況を反映（例えば選択率を乗算）して該伝送路の実際の目標品質とする。
第３の発明では、（１）移動局と複数の基地局との間で同時に同一データを送受信する際、いずれかの（例えば、各伝送路上の品質を監視し、品質が最良の）伝送路を介して受信したデータを選択すると共に、伝送路毎に該伝送路を介して送られてきたデータの選択状況を得て（例えば、選択率を算出し）、▲２▼データ選択後のデータ品質に基づいて目標品質（例えば目標ＳＩＲ）を更新し、▲３▼該更新後の目標品質値と前回の更新品質値である基準品質値との差分を算出し、▲４▼この差分値に各伝送路の選択状況を反映（例えば選択率を乗算）して各伝送路の目標品質の増減値を算出し、▲５▼該各伝送路の増減値を各伝送路のそれまでの目標品質に加えて各伝送路の実際の目標品質とする。
第４の発明では、（１）移動局と複数の基地局との間で同時に同一データを送受信する際、いずれかの（例えば、各伝送路上の品質を監視し、品質が最良の）伝送路を介して受信したデータを選択すると共に、伝送路毎に該伝送路を介して送られてきたデータの選択状況を得て（例えば、選択率を算出し）、伝送路毎に、▲２▼データ選択前のデータ品質に基づいて目標品質（例えば目標ＳＩＲ）を更新し、▲３▼該更新後の目標品質値と伝送路のそれまでの目標品質との差分を算出し、▲４▼該差分値に伝送路の選択状況を反映（例えば選択率を乗算）して該伝送路の目標品質の増減値を算出し、▲５▼該増減値を伝送路のそれまでの目標品質に加えて新たな目標品質とする。
以上の第１〜第４の発明により、選択合成における合成利得を考慮した電力制御を行うことができる。
【図面の簡単な説明】  図１は送信電力制御装置の第１実施例の構成図である。
図２はデータ選択部の構成例である。
図３は目標ＳＩＲ更新部の処理フローである。
図４は第１実施例による各基地局の目標ＳＩＲ説明図である。
図５は第１実施例の変形例の説明図である。
図６は変形例の基地局別目標ＳＩＲ算出部の構成図である。
図７は送信電力制御装置の第２実施例の構成図である。
図８は送信電力制御装置の第３実施例の構成図である。
図９は第３実施例の変形例である。
図１０は送信電力制御装置の第４実施例の構成図である。
図１１は第４実施例の変形例である。
図１２はＣＤＭＡ移動通信システムにおける基本的な送信電力制御の説明図である。
図１３はハンドオーバ時における移動局と２つの基地局と基地局制御装置の接続関係図である。
図１４は基地局制御装置における選択合成説明図である。
図１５はＩｎｎｅｒ  ｌｏｏｐ送信電力制御説明図である。
図１６は非ＤＨＯ状態におけるＳＩＲ相関図である。
図１７は初期ＤＨＯ状態におけるＳＩＲ相関図である。
図１８はＤＨＯ効果を考慮にいれたＳＩＲ相関図である。
図１９は過剰品質にも関わらずＳＩＲを上げる動作例を示す説明図である。
図２０は品質劣化にも関わらず、ＳＩＲを下げてしまう場合を示す説明図である。
図２１は不用意なＳＩＲ値の増加となってしまう場合を示す説明図である。
【発明を実施するための最良の形態】  （Ａ）第１実施例
図１は送信電力制御装置の第１実施例の構成図であり、基地局制御装置（基地局の上位装置）内に設けられている。第１実施例の概略は以下の通りである。
基地局制御装置における選択合成（図１４参照）によって得られる合成利得により、必ずしも個々の基地局から受信したデータは目標品質を満たしていなくてもよい。言い換えれば、合成結果に得られる品質が目標品質を満たしていればよい。この目標品質は選択されたデータのみが貢献するから、次式
目標品質＝目標品質×（第１の基地局の選択率＋第２の基地局の選択率）
に従って、目標品質が維持されていると考えられる。このことから、第１実施例では、合成後のデータ品質に基づいて更新された目標ＳＩＲ値に各伝送路のデータ選択率ｓ１，ｓ２を掛け、得られた目標ＳＩＲを各基地局における真の目標ＳＩＲ値とする。以上は第１実施例の概略であるが、以下、図１〜図３に従って全体の動作を説明する。
ハンドオーバ時、移動局は複数の基地局（図では２つの基地局１０ａ，１０ｂ）との間で同時に同一データを送受信する。各基地局１０ａ，１０ｂは移動局からのデータを受信すると、受信データの誤りを検出し、例えばトランスポートブロック単位あるいはフレーム単位で該受信データに品質識別子（３ＧＰＰ仕様の場合、ＱＥ（Ｑｕａｌｉｔｙ  Ｅｓｔｉｍａｔｅｓ）及びＣＲＣＩ（ＣＲＣ  Ｉｎｄｉｃａｔｏｒ））を付して基地局制御装置２０に送出する。
基地局制御装置２０のデータ選択部２１は、受信データに付されている品質識別子を参照してフレーム毎に最も品質が良いデータを選択して合成後データとして出力する。また、データ選択部２１は伝送路毎に該伝送路を介して送られてきたデータの選択率ｓ１，ｓ２を算出して出力する。目標ＳＩＲ更新部２２は、データ選択後の品質を選択されたデータに付されている品質識別子を用いて測定し、該測定品質と品質目標値を比較し、比較結果に基づいて目標ＳＩＲを更新する。例えば、測定品質が品質目標値より悪ければ、基準ＳＩＲ（ハンドオーバ前に通信していた基地局に設定した目標ＳＩＲ）に所定の増加ステップ量ΔＵＰを加算して目標ＳＩＲを更新し、測定品質が品質目標値より良ければ、基準ＳＩＲより所定の減少ステップ量Δｄｏｗｎを減算して目標ＳＩＲを更新する。尚、更新後の目標ＳＩＲは次の基準ＳＩＲとなる。
目標ＳＩＲ算出部２３は２つの乗算器２３ａ，２３ｂを備え、更新後の目標ＳＩＲに各伝送路の選択率ｓ１，ｓ２を乗算して各伝送路の実際の目標ＳＩＲを算出し（図４参照）、基地局１０ａ，１０ｂにそれぞれ設定する。ここで、選択状況としての選択率を目標品質（ＳＩＲ）に反映させる方法として、目標ＳＩＲに各選択率を乗算したが、反映する手法は、より選択した側の制御の度合を高くする、より選択した側に大きな目標ＳＩＲを設定するなど種々考えられる。
図２はデータ選択部２１の構成例であり、品質情報抽出部２１ａ，２１ｂはそれぞれ基地局１０ａ、１０ｂから入力するデータ列から品質情報を抽出して品質判定部２１ｃに入力する。品質判定部２１ｃはフレーム毎に最良の品質のデータを判定し、セレクタ２１ｄに入力する。セレクタ２１ｄはバッファ２１ｅに一時記憶されている品質良好なデータを選択して合成データとして出力する。又、品質判定部２１ｃはフレーム毎に、いずれの基地局から入力されたデータの品質が良好であるか選択率算出部２１ｆに入力する。選択率算出部２１ｆは各基地局から入力されたデータが選択された回数をカウントし、各基地局のデータ選択率ｓ１，ｓ２を計算して出力する。
図３は目標ＳＩＲ更新部２２の処理フローである。
目標ＳＩＲ更新部２２は、制御開始時に、観測区間Ｔ，増加／減少ステップΔＵＰ／Δｄｏｗｎ、品質目標値ＱＴ、基準ＳＩＲ（＝ＳＩＲＲ）を初期設定する（ステップ１０１）。観測区間Ｔはブロック数あるいはフレーム数で入力し、品質目標値ＱＴはブロックエラーレートＢＥＬＲ（Ｂｌｏｃｋ  ｅｒｒｏｒ  ｒａｔｅ）で入力する。又、基準ＳＩＲ（＝ＳＩＲＲ）の初期値は、ハンドオーバ前に通信していた基地局に設定した目標ＳＩＲである。
ついで、目標ＳＩＲ更新部２２は、データ選択部２１からデータが入力すれば、トランスポートブロックＴｒＢｋ毎にＣＲＣＩを参照して誤り数をカウントすると共に（ステップ１０２〜１０４）、受信ブロック数をカウントアップし（ステップ１０５）、受信ブロック数が観測区間に応じたブロック数になったかチェックし（ステップ１０６）、受信ブロック数が観測区間に応じたブロック数になっていなければステップ１０２以降の処理を行い、観測区間に応じたブロック数になれば、ブロックエラー数と受信ブロック数とから受信品質ＱＭ（ブロックエラーレート）を算出する（ステップ１０７）。ついで、測定品質ＱＭと目標品質ＱＴとを比較する（ステップ１０８）。
測定品質ＱＭが目標品質ＱＴより品質が良ければ、次式
ＳＩＲＲ＝ＳＩＲＲ−Δｄｏｗｎ
により目標ＳＩＲを計算する（ステップ１０９）。すなわち、伝送路の状況が良好で受信データの品質が良好であれば、目標ＳＩＲをΔｄｏｗｎ分減少する。一方、測定品質ＱＭが目標品質ＱＴより品質が悪ければ、次式
ＳＩＲＲ＝ＳＩＲＲ＋ΔＵＰ
により目標ＳＩＲを計算する（ステップ１１０）。すなわち、伝送路の状況が悪く受信データの品質が悪ければ、目標ＳＩＲをΔＵＰ分増加する。
しかる後、ＳＩＲＲを更新後の目標ＳＩＲとして、基地局別目標ＳＩＲ算出部２３（図１）に入力する（ステップ１１１）。尚、更新後の目標ＳＩＲは次の基準ＳＩＲになる。
ところで、第１実施例では極端な場合、一方の選択率が大きくなり、他方の選択率が小さくなって目標ＳＩＲが小さくなりすぎる場合がある。そこで、目標ＳＩＲの最小値を設定しておき、目標ＳＩＲが該最小値より小さくならないように制御する手段を目標ＳＩＲ算出部２３の後段に設ける。あるいは、選択率の最小値を設定しておき、選択率が該最小値より小さくならないように決定する。たとえば、最小値をｓｍｉｎ（＜１．０）、実際の選択率をｓ１，ｓ２とすれば、次式
Ｓ１＝（１−ｓｍｉｎ）×ｓ１／（ｓ１＋ｓ２）＋ｓｍｉｎ
Ｓ２＝（１−ｓｍｉｎ）×ｓ２／（ｓ１＋ｓ２）＋ｓｍｉｎ
により選択率Ｓ１，Ｓ２を決定する。
以上、第１実施例によれば、選択合成における合成利得を考慮した送信電力制御を行うことができる。また、第１実施例によれば、目標ＳＩＲを増加（減少）するよう指示すれば、各基地局の目標ＳＩＲを確実に増加（減少）する方向に制御することができ、しかも、目標ＳＩＲの制御幅を小さくすることができる。この結果、無線区間における不要なノイズ（干渉）を低減することができ、また、無線リソースの確保、すなわち、セル収容ユーザ数（セル容量）を増加することができ、更には、移動局の消費電力を抑えることができる。
図５は第１実施例の変形例の説明図である。第１実施例では、合成後のデータ品質より求まる目標ＳＩＲに各伝送路のデータ選択率を乗算（ここでは、ｓ１＜ｓ２）して各伝送路の目標ＳＩＲとしている。しかし、▲１▼ＳＩＲ値と受信品質の関係は必ずしも等しいものではないこと、しかも、▲２▼データ選択率は常に変化すること、を考慮する必要がある。そこで、変形例では、図５に示すように第１実施例で得られた各基伝送路の目標ＳＩＲにマージン値ΔＵＰを加えることで▲１▼、▲２▼の要因に基づく不具合を解消する。ΔＵＰは目標ＳＩＲ更新部２２で使用する増加ステップ量と同じ量である。
図６は変形例の目標ＳＩＲ算出部２３の構成図であり、加算部２３ｃ，２３ｄが新たに追加されている。この加算部２３ｃ，２３ｄは乗算器２３ａ，２３ｂの出力にマージン値ΔＵＰを加算し、加算結果を各基地局１０ａ，１０ｂの真の目標ＳＩＲとして出力する。
（Ｂ）第２実施例
図７は送信電力制御装置の第２実施例の構成図であり、基地局制御装置内に設けられている。第２実施例において図１の第１実施例と同一部分には同一符号を付している。異なる点は、第１実施例では、選択合成後のデータ品質を測定しているが、第２実施例では、選択合成前の各データについてデータ品質を測定している点である。
目標ＳＩＲ更新部２４は、基地局１０ａから入力する選択合成前のデータの品質を測定し、該測定品質に基づいて基地局１０ａの目標ＳＩＲを更新し、該更新された目標ＳＩＲを目標ＳＩＲ算出部２３の乗算部２３ｂに入力する。目標ＳＩＲ更新部２４は図３の処理フローに従って更新処理を行うが、基準ＳＩＲ値は基地局１０ａに設定されている目標ＳＩＲと同じ値である。
また、目標ＳＩＲ更新部２５は、基地局１０ｂから入力する選択合成前のデータの品質を測定し、該測定品質に基づいて基地局１０ｂの目標ＳＩＲを更新し、該更新された目標ＳＩＲを目標ＳＩＲ算出部２３の乗算部２３ａに入力する。目標ＳＩＲ更新部２５は図３の処理フローに従って更新処理を行うが、基準ＳＩＲ値は基地局１０ｂに設定されている目標ＳＩＲと同じ値である。
目標ＳＩＲ算出部２３の乗算部２３ｂは、更新後の基地局１０ａの目標ＳＩＲに選択率ｓ１を乗算して基地局１０ａの実際の目標ＳＩＲを算出し、基地局１０ａに設定する。又、乗算部２３ａは、更新後の基地局１０ｂの目標ＳＩＲに選択率ｓ２を乗算して基地局１０ｂの実際の目標ＳＩＲを算出し、基地局１０ｂに設定する。
以上、第２実施例の送信電力制御によれば、合成前のデータ品質に基づいて基地局の目標ＳＩＲを算出し、該目標ＳＩＲに選択率を乗算して実際の目標ＳＩＲとしたから、品質目標値を達成するための実際の目標ＳＩＲ値を小さくでき、選択合成における合成利得を考慮した送信電力制御ができ、移動局の送信電力を小さくすることができる。
（Ｃ）第３実施例
図８は送信電力制御装置の第３実施例の構成図であり、図１の第１実施例と同一部分には同一符号を付している。
ハンドオーバ時、移動局は複数の基地局（図では２つの基地局）との間で同時に同一データを送受信する。各基地局１０ａ，１０ｂは移動局からのデータを受信すると、受信データの誤りを検出し、例えばトランスポートブロック単位あるいはフレーム単位で該受信データに品質識別子を付して基地局制御装置２０に送出する。尚、図８では基地局における品質識別子付与部や受信データ送出部等は省略されている。
基地局制御装置２０のデータ選択部２１は、受信データに付されている品質識別子を参照してフレーム毎に最も品質が良いデータを選択して合成後データとして出力する。また、データ選択部２１は伝送路毎に該伝送路を介して送られてきたデータの選択率ｓ１，ｓ２を算出して出力する。
目標ＳＩＲ更新部２２は、図３の処理フローに従って、データ選択後の品質を選択されたデータに付されている品質識別子を用いて測定し、該測定品質と品質目標値を比較し、比較結果に基づいて目標ＳＩＲを更新する。例えば、測定品質が品質目標値より悪ければ、レジスタ３１に記憶されている基準ＳＩＲ（ハンドオーバ前に通信していた基地局に設定した目標ＳＩＲ）に所定の増加ステップ量ΔＵＰを加算して目標ＳＩＲを更新し、測定品質が品質目標値より良ければ、基準ＳＩＲより所定の減少ステップ量Δｄｏｗｎを減算して目標ＳＩＲを更新する。尚、更新後の目標ＳＩＲを次の基準ＳＩＲとする。
差分算出部３２は更新後の目標ＳＩＲ値と前回の更新ＳＩＲ値である基準ＳＩＲ値ＳＩＲＲとの差分ΔＳＩＲを算出する。差分ＳＩＲ算出部３３はこの差分値ΔＳＩＲに各伝送路の選択率ｓ１，ｓ２を乗算して各伝送路の目標ＳＩＲの増減値ｓ１×ΔＳＩＲ，ｓ２×ΔＳＩＲを算出し、基地局１０ａ，１０ｂに送出する。
各基地局１０ａ，１０ｂの加算部ＡＤは、レジスタＲＧに設定されている現目標ＳＩＲ１、ＳＩＲ２に基地局制御装置２０から受信した目標ＳＩＲの増減値ｓ１×ΔＳＩＲ，ｓ２×ΔＳＩＲをそれぞれ加算して新たな目標ＳＩＲとする。以後、基地局１０ａ，１０ｂは該新たな目標ＳＩＲに基づいて移動局の送信電力制御を実行する。
図９は第３実施例の変形例である。第３実施例では基地局１０ａ，１０ｂの新たな目標ＳＩＲを基地局側で算出したが、変形例では基地局制御装置側で基地局１０ａ，１０ｂの新たな目標ＳＩＲを算出して基地局に送信する。
差分ＳＩＲ算出部３３は、差分値ΔＳＩＲに各伝送路の選択率ｓ１，ｓ２を乗算し、各伝送路の目標ＳＩＲの増減値ｓ１×ΔＳＩＲ，ｓ２×ΔＳＩＲを加算部４１、４２に入力する。加算器４１はレジスタ４３に記憶されている基準ＳＩＲ（ハンドオーバ前に基地局１０ａに設定されている目標ＳＩＲ）と目標ＳＩＲの増減値ｓ１×ΔＳＩＲを加算して基地局１０ａに送信する。又、加算器４２はレジスタ３１に記憶されている基準ＳＩＲ（ハンドオーバ前に基地局１０ｂに設定されている目標ＳＩＲ）と目標ＳＩＲの増減値ｓ２×ΔＳＩＲを加算して基地局１０ｂに送信する。基地局１０ａ，１０ｂは、以後、送られてきた新たな目標ＳＩＲに基づいて移動局の送信電力制御を実行する。なお、加算部４１，４２から出力する目標ＳＩＲは次の基準ＳＩＲとなる。
以上、第３実施例によれば、合成後のデータ品質に基づいて決定した目標ＳＩＲと前回の目標ＳＩＲの差分値を選択率に応じて各基地局の目標ＳＩＲに反映させるようにしたから、各基地局の目標ＳＩＲを徐々に制御することができ、選択合成における合成利得を考慮した送信電力制御を木目細かく行うことができる。又、第３実施例によれば、選択率が小さくなっても基地局の目標ＳＩＲが小さくなりすぎることはなく、しかも、大幅な目標ＳＩＲの変動をなくすことができる。
（Ｄ）第４実施例
図１０は送信電力制御装置の第４実施例の構成図であり、図８の第３実施例と同一部分には同一符号を付している。異なる点は、第３実施例では、選択合成後のデータ品質を測定して目標ＳＩＲの増減値を求めているが、第４実施例では、選択合成前の各データについてデータ品質を測定して目標ＳＩＲの増減値を求めている点である。
ハンドオーバ時、移動局は複数の基地局（図では２つの基地局）との間で同時に同一データを送受信する。各基地局１０ａ，１０ｂは移動局からのデータを受信すると、受信データの誤りを検出し、例えば、トランスポートブロック単位あるいはフレーム単位で該受信データに品質識別子を付して基地局制御装置２０に送出する。尚、図１０では基地局１０ａ，１０ｂにおける品質識別子付与部や受信データ送出部等は省略されている。
基地局制御装置２０のデータ選択部２１は、受信データに付されている品質識別子を参照してフレーム毎に最も品質が良いデータを選択して合成後データとして出力する。また、データ選択部２１は伝送路毎に該伝送路を介して送られてきたデータの選択率ｓ１，ｓ２を算出して出力する。
目標ＳＩＲ更新部５１は、図３の処理フローに従って、データ選択前の品質をデータに付されている品質識別子を用いて測定し、該測定品質と品質目標値を比較し、比較結果に基づいて基地局１０ａの目標ＳＩＲを更新する。例えば、測定品質が品質目標値より悪ければ、レジスタ５２に記憶されている基準ＳＩＲ（ハンドオーバ前に地局１０ａに設定した目標ＳＩＲ）に所定の増加ステップ量ΔＵＰを加算して目標ＳＩＲを更新し、測定品質が品質目標値より良ければ、基準ＳＩＲより所定の減少ステップ量Δｄｏｗｎを減算して目標ＳＩＲを更新する。尚、更新後の目標ＳＩＲは次の基準ＳＩＲとなる。
差分算出部５３は更新後の目標ＳＩＲ値と前回の更新ＳＩＲ値である基準ＳＩＲ値ＳＩＲＲ１との差分ΔＳＩＲ１を算出して差分ＳＩＲ算出部５４と切換部５５に入力する。差分ＳＩＲ算出部５４は差分値ΔＳＩＲ１に伝送路の選択率ｓ１を乗算して目標ＳＩＲの増減値ｓ１×ΔＳＩＲ１を算出して切換部５５に入力する。
差分値ΔＳＩＲ１が負で目標ＳＩＲ値を下げる場合は、伝送路が目標品質を満たしている。このため、切換部５５は差分値ΔＳＩＲ１をそのまま基地局１０ａに、現在の目標ＳＩＲに対する差分値として送信する。しかし、切換部５５は差分値ΔＳＩＲ１が正で目標ＳＩＲ値を上げる場合は、ｓ１×ΔＳＩＲ１を基地局１０ａに、現在の目標ＳＩＲに対する差分値として送信する。
基地局１０ａの加算部ＡＤは、レジスタＲＧに設定されている現目標ＳＩＲ１に基地局制御装置２０から受信した目標ＳＩＲの増減値を加算して新たな目標ＳＩＲとする。以後、基地局１０ａは新たな目標ＳＩＲに基づいて移動局の送信電力制御を実行する。なお、加算器５６は切換部５５の出力と現在の基準ＳＩＲを加算し、加算結果を新基準ＳＩＲとしてレジスタ５２に記憶する。
以上は、基地局１０ａの目標ＳＩＲを更新する場合であるが、同様に目標ＳＩＲ更新制御部５７により基地局１０ｂの目標ＳＩＲを更新する。
図１１は第４実施例の変形例であり、第４実施例では基地局１０ａ，１０ｂの新たな目標ＳＩＲを基地局側で算出したが、変形例では基地局制御装置側で基地局１０ａ，１０ｂの新たな目標ＳＩＲを算出して基地局に送信する。
加算器５８はレジスタ５２に記憶されている基準ＳＩＲと切換部５５から出力する目標ＳＩＲの増減値を加算し、加算結果を目標ＳＩＲとして基地局１０ａに送信すると共に、加算結果でレジスタ５２の基準ＳＩＲ値を更新する。基地局１０ａは、送られてきた新たな目標ＳＩＲに基づいて移動局の送信電力制御を実行する。同様に目標ＳＩＲ更新制御部５７は基地局１０ｂの目標ＳＩＲを更新し、基地局１０ｂは更新後の目標ＳＩＲに基づいて移動局の送信電力制御を実行する。
以上、第４実施例の送信電力制御によれば、合成前のデータ品質に基づいて基地局の目標ＳＩＲを算出し、該目標ＳＩＲと前回の目標ＳＩＲの差分値を選択率に応じて基地局の目標ＳＩＲに反映させるようにしたから、各基地局の目標ＳＩＲを徐々に制御することができ、選択合成における合成利得を考慮した送信電力制御を木目細かく行うことができる。
【図１】
2004032373.tif 000003
【図２】
2004032373.tif 000004
【図３】
2004032373.tif 000005
【図４】
2004032373.tif 000006
【図５】
2004032373.tif 000007
【図６】
2004032373.tif 000008
【図７】
2004032373.tif 000009
【図８】
2004032373.tif 000010
【図９】
2004032373.tif 000011
【図１０】
2004032373.tif 000012
【図１１】
2004032373.tif 000013
【図１２】
2004032373.tif 000014
【図１３】
2004032373.tif 000015
【図１４】
2004032373.tif 000016
【図１５】
2004032373.tif 000017
【図１６】
2004032373.tif 000018
【図１７】
2004032373.tif 000019
【図１８】
2004032373.tif 000020
【図１９】
2004032373.tif 000021
【図２０】
2004032373.tif 000022
【図２１】
2004032373.tif 000023
【国際調査報告】
2004032373.tif 000024
2004032373.tif 000025
2004032373.tif 000026
2004032373.tif 000027